(57)【要約】【課題】ベース棚板の上面に設けたガイドレールの中央部が下方に撓んでも、その撓みを矯正することにより、引違い戸を円滑に開閉しうるとともに、引違い戸と什器本体の戸当り部との間に隙間が形成されるのを防止しうるようにした物品収納什器を提供する。【解決手段】ベース棚板５の前端部上面に、引違い戸９、１０の下端部をガイドする左右方向を向くガイドレール２７を設けてなる物品収納什器において、上部にガイドレール２７を有する引違い戸支持杆２５の左右方向の中央部に、ガイドレール２７のレベルを調整しうるレベル調整手段３０を設ける。【選択図】  図７
2009191562.tif 000002
【特許請求の範囲】
【請求項１】
両側端部が什器本体に支持されたベース棚板の前端部上面に、引違い戸の下端部をガイドする左右方向のガイドレールを設けてなる物品収納什器において、
前記ベース棚板とガイドレールとの間の左右方向の中間部に、ガイドレールのレベルを調整しうるレベル調整手段を設けたことを特徴とする物品収納什器。
【請求項２】
レベル調整手段を、下面がベース棚板の上面に当接する円板状の操作つまみと、その上面中央に立設されたアジャスタボルトと、ガイドレールの下面に設けた前記アジャスタボルトの上端部が螺合されるめねじ孔とを備えるものとした請求項１記載の物品収納什器。
【請求項３】
ガイドレールを、側面視下向きコ字状断面をなすとともに、少なくとも左右方向の中央部前面を切り欠いた引違い戸支持杆の上部に設け、この引違い戸支持杆の内部に、操作つまみとアジャスタボルトを、操作つまみの外周端部が前記切欠き部より前方に突出するようにして収容し、かつ引違い戸支持杆の下面に、アジャスタボルトの上端部が螺合しうるナットを固着してなる請求項２記載の物品収納什器。
【請求項４】
操作つまみとベース棚板との対向面の少なくともいずれか一方に、摩擦係数の小さなパッドを固着してなる請求項３記載の物品収納什器。
【発明の詳細な説明】
【技術分野】
【０００１】
本発明は、例えば店舗やオフィス等において使用される、引違い戸を有する物品収納什器に関する。
【背景技術】
【０００２】
前面を透明なガラスよりなる引違い戸により開閉可能とした物品収納什器は、例えば特許文献１及び２に記載されているように、種々のものがある。
【特許文献１】特開平９−１１９２４９号公報
【特許文献２】特開２０００ー２９１３０４号公報
【発明の開示】
【発明が解決しようとする課題】
【０００３】
上記特許文献１及び２に記載されている物品収納什器のように、前面にガラスよりなる引違い戸を有するものにおいては、引違い戸の重量、もしくは、ベース棚板に重量のある物品を載置した際に、ベース棚板及びその上面に設けたガイドレールの中央部が下方に撓み、戸の開閉が不円滑となったり、戸と什器本体の戸当り部との間に隙間が形成されたりすることがある。
【０００４】
本発明は、上記問題点に鑑みてなされたもので、ベース棚板の上面に設けたガイドレールの中央部が下方に撓んでも、その撓みを矯正することにより、引違い戸を円滑に開閉しうるとともに、引違い戸と什器本体の戸当り部との間に隙間が形成されるのを防止しうるようにした物品収納什器を提供することを目的としている。
【課題を解決するための手段】
【０００５】
本発明によると、上記課題は、次のようにして解決される。
（１）両側端部が什器本体に支持されたベース棚板の前端部上面に、引違い戸の下端部をガイドする左右方向のガイドレールを設けてなる物品収納什器において、前記ベース棚板とガイドレールとの間の左右方向の中間部に、ガイドレールのレベルを調整しうるレベル調整手段を設ける。
【０００６】
このような構成とすると、引違い戸の重量や、ベース棚板に載置した物品の重さにより、ベース棚板５やその上面に設けたガイドレールの中間部が下方に撓んだ際でも、ガイドレールの撓みを、ベース棚板とガイドレールとの間に設けたレベル調整手段により正常なレベルに矯正することができる。
【０００７】
（２）上記(１)項において、レベル調整手段を、下面がベース棚板の上面に当接する円板状の操作つまみと、その上面中央に立設されたアジャスタボルトと、ガイドレールの下面に設けた前記アジャスタボルトの上端部が螺合されるめねじ孔とを備えるものとする。
【０００８】
このような構成とすると、レベル調整手段の構成が簡単であり、かつガイドレール等に大幅な加工を施すことなく容易に取り付けることができる。
また、操作つまみを円板状としてあるので、その回動操作も容易となる。
【０００９】
（３）上記(２)項において、ガイドレールを、側面視下向きコ字状断面をなすとともに、少なくとも左右方向の中央部前面を切り欠いた引違い戸支持杆の上部に設け、この引違い戸支持杆の内部に、操作つまみとアジャスタボルトを、操作つまみの外周端部が前記切欠き部より前方に突出するようにして収容し、かつ引違い戸支持杆の下面に、アジャスタボルトの上端部が螺合しうるナットを固着する。
【００１０】
このような構成とすると、操作つまみの殆どとアジャスタボルト、及びアジャスタボルトが螺合されるナットが、引違い戸支持杆の内部に収容され、外部に露呈しないので、体裁がよくなる。
また、操作つまみの外周端部を、引違い戸支持杆の前面の切欠部より前方に突出させてあるので、その突出部の外周面に指を掛けて、操作つまみを支障なく回転させることができる。
【００１１】
（４）上記(３)項において、操作つまみとベース棚板との対向面の少なくともいずれか一方に、摩擦係数の小さなパッドを固着する。
【００１２】
このような構成とすると、操作つまみとベース棚板との摩擦抵抗が小さくなるので、操作つまみの回動操作を容易に行うことができる。
【発明の効果】
【００１３】
本発明によれば、ガイドレールの中間部が下方に撓んでも、その撓みをレベル調整手段により矯正しうるので、引違い戸を円滑に開閉することができる。
また、引違い戸と什器本体の戸当り部との間に隙間が形成されるのが防止されるので、体裁がよくなる。
【発明を実施するための最良の形態】
【００１４】
以下、本発明の実施形態を、図面に基づいて説明する。
図１は、本発明の物品収納什器の斜視図、図２は、同じく拡大平面図、図３は、図２のIII-III線縦断側面図である。
【００１５】
物品収納什器は、左右１対の支柱１、１と、それらの上下の対向面同士を連結している横杆２、２と、左右の支柱１と上下の横杆２により囲まれた枠状空間に嵌め込まれた背板３とを備えている。
【００１６】
左右の支柱１における下端部の前面には、前方を向く基台４の後端が固定され、その左右の側板４a、４aの内側面と前板４bの上端により、ベース棚板５が支持されている。
左右の支柱１の前面には、左右２列の係止孔６が上下方向に向かって多数列設され、その内側の列の係止孔６における上下複数箇所には、図３に示すように、ブラケット７を介して、上下複数段の棚板８(図１、図２においては図示略)が、上下位置変更可能として取付けられている。
【００１７】
各棚板８の前方と上方は、側面視後向き倒立Ｌ字状をなす左右の引違い戸９、１０により、同じく左右両側方は、側面板１１、１１により覆われている。
左右の引違い戸９、１０と側面板１１は、例えば透明なアクリル等の合成樹脂により形成され、軽量化が図られている。
【００１８】
左右の側面板１１は、図４に示すサイドフレーム１２(左右対称に付き、左方のみ図示する)に、次のようにして取付けられている。
サイドフレーム１２は、前後寸法がベース棚板５の前後寸法よりも所要寸法短寸とされた前後方向を向く上部フレーム１２aと、その前端部より垂下する、上下寸法がベース棚板５から上方の支柱１の上下寸法とほぼ等しい前部フレーム１２bとにより、側面視後向き倒立Ｌ字状に形成されている。
【００１９】
上部フレーム１２aの後端部下面には、後端に下向き鉤状の上下２個の係止爪１３を有する取付金具１４が固着されている。
側面板１１の前端部の上下複数箇所と後端上部とに外側方より挿入した止めねじ１５を、上記前部フレーム１２bと取付金具１４に設けためねじ孔１６に螺合することにより、側面板１１は、サイドフレーム１２の外側面に取付けられている。
【００２０】
側面板１１の後端部における下部と中間部の内側面には、上記取付金具１４と同様の取付金具１４、１４が、止めねじ１５により固定されており、これら上下３個の取付金具１４の各係止爪１３を、支柱１の前面における外側の列の複数の係止孔６に係合させることにより、側面板１１の後端は、支柱の前面に取付けられている。
【００２１】
サイドフレーム１２における前部フレーム１２bの下端には、側面視下向きコ字状断面をなす内向きの固定片１７が固着され、この固定片１７は、図３に示すように、ベース棚板５の前端部上面に、ねじ１８により固定されている(図５の拡大図参照)。
【００２２】
図３、図４及び図８の拡大図に示すように、左右の支柱１の上端部前面には、左右の引違い戸９、１０における上面板９a、１０aの後端部をガイドする、側面視上向きコ字状の前後２条の左右方向を向くガイド溝１９、１９を有するガイドレール２０が、その側端に固着された取付金具２１、２１の後端の係止爪２２、２２を、支柱１の上端部前面における内側の列の係止孔６に係合することにより、左右のサイドフレーム１２の上端後部の対向面間に位置するようにして取付けられている。
【００２３】
ガイドレール２０の後面には、前後のガイド溝１９の上方を覆う側面視前向き倒立Ｌ字状断面のレールカバー２３が、左右複数のねじ２４により固定されている。
【００２４】
図３及び図５の拡大断面図に示すように、左右のサイドフレーム１２における前部フレーム１２bの対向面間において、ベース棚板５の上面に固定された左右の固定片１７には、側面視下向きコ字状断面の引違い戸支持杆２５の側端部が嵌合され、固定片１７固定用のねじ１８により固定されている。
引違い戸支持杆２５の上面には、左右の引違い戸９、１０における前面板９b、１０b の下端を支持する前後２条の上向きコ字状のガイド溝２６、２６を有するガイドレール２７が、左右方向に全長に亘って固着されている。
【００２５】
左右の引違い戸９、１０における前面板９b、１０b の下端部には、側面視Ｈ字状断面のサッシュ部材２８、２８の上半部が圧嵌され、両サッシュ部材２８の下半部における両側部のコ状部内には、前後方向を向く枢軸回りに回転する左右１対ずつの車輪２９、２９が取付けられている。
左側の引違い戸９側の車輪２９は、ガイドレール２７の後部側のガイド溝２６に沿って、右側の引違い戸１０の車輪２９は、同じく前部側のガイド溝２６に沿って、それぞれ左右方向に転動するようになっている。これにより、左右の引違い戸９、１０は、左右方向に軽快に移動することができる。
【００２６】
図６及び図７に示すように、引違い戸支持杆２５の左右方向の中央部には、ガイドレール２７のレベル調整手段３０が設けられている。
レベル調整手段３０は、上面中央に上向きのアジャスタボルト３１を有する円板状の操作つまみ３２と、引違い戸支持杆２５の下面に溶接された、アジャスタボルト３１が螺合されるめねじ孔を有するナット３３とからなっている。
【００２７】
操作つまみ３２の外径は、アジャスタボルト３１の上端部をナット３３に下方より螺合した際に、外周部の一部のみが引違い戸支持杆２５の前後の下向片２５a、２５aに形成された切欠き３４、３４より若干突出する大きさとされ、前側の切欠き３４より突出する操作つまみ３２の外周面に指をかけて、これを回転させうるようにしてある。
【００２８】
前側に位置する右方の引違い戸１０における上面板１０a の前後寸法と、前面板１０b の上下寸法は、側面板１１の前後寸法と上下寸法とほぼ等しく、後側に位置する左方の引違い戸９における上面板９aの前後寸法と、前面板９bの上下寸法は、右方の引違い戸１０と近接する後方に入り込むように、右方の引違い戸１０の上面板１０a及び前面板１０bの寸法よりも若干小としてある。
【００２９】
また、両引違い戸９、１０の左右寸法は、左右のサイドフレーム１２、１２の対向面間の寸法を２分する寸法よりも若干大としてある。
すなわち、左右の引違い戸９、１０を閉じたとき、前側に位置する引違い戸１０の前面板１０の内端部の後方に、後側に位置する引違い戸９の前面板９bの内端部が位置するとともに、前方の引違い戸１０の上面板１０aの内端部の下方に、後方の引違い戸９の上面板９aの内端部が位置して重なり合うようにしてある。
【００３０】
さらに、左右の引違い戸９、１０における上面板９a、１０aの前後寸法は、最上段の棚板８の上方を覆いうる寸法とされ、同じく、前面板９b、１０b の上下寸法は、各段の棚板８の前方を覆いうる寸法としてある。
【００３１】
図２及び図８に示すように、右方の引違い戸１０における上面板１０aの後端部には、側面視前向き倒立Ｌ字状をなすローラ支持ブラケット３５における上部のコ状部３５aが、左右方向に全長に亘って後方より圧嵌されている。
上面板１０aの後端部の左右両側部には、垂直軸３６、３６が、ローラ支持ブラケット３５のコ状部３５aを貫通するようにして、下向きに取付けられ、両垂直軸３６には、水平ガイドローラ３７、３７が、ガイドレール２０における後部側のガイド溝１９内を左右方向に転動しうるようにして、回転自在に枢着されている。
【００３２】
図２及び図９に示すように、ローラ支持ブラケット３５の垂下片３５bにおける左右の水平ガイドローラ３７と近接する内方には、前後方向を向く水平軸３８、３８が前向きに取付けられ、両水平軸３８には、垂直ガイドローラ３９、３９が、ガイドレール２０の後部側のガイド溝１９の内底面上を左右方向に転動するようにして、回転自在に枢着されている。
【００３３】
左側の引違い戸９における上面板９aの後端部にも、図２、図１０及び図１１に示すように、上記と同様、左右１対ずつの垂直軸３６、３６と、水平軸３８、３８が取付けられ、それらに枢着された水平ガイドローラ３７、３７と垂直ガイドローラ３９、３９は、ガイドレール２０の前部側のガイド溝１９に、左右方向に転動可能に嵌合されている。
【００３４】
これにより、左右の引違い戸９、１０における上面板９a、１０aの後端部は、ガイドレール２０の前後のガイド溝１９、１９に案内されて、左右方向に円滑に移動することができる。
【００３５】
図１、図３及び図１２の拡大断面図に示すように、右側の引違い戸１０における前面板１０b の上下方向の中央部後面には、側面視倒立Ｌ字状をなす透明のアクリルよりなる左右方向を向くガイドレール４０が固着され、その下向片４０aと前面板１０b との対向面間には、下方と両側方に開口するガイド溝４１が形成されている。
また、左側の引違い戸９における前面板９bの右端部の上下方向の中央部前面には、短寸の透明なスライド部材４２が固着され、それに連設された上向きの係合片４２aは、上記ガイド溝４１に、左右方向に摺動可能に係合されている。
これにより、左右の引違い戸９、１０の前面板９b、１０b の中間部が、互いに離間する前後方向に撓むのが防止され、それらの対向面間に手が入る大きな隙間が形成されることがないので、防盗性が高まる。
【００３６】
右側の引違い戸１０におけるサッシュ部材２８の左端部前面には、左側の引違い戸９のサッシュ部材２８の右端部に向かって突入することにより、両引違い戸９、１０を施錠しうる、例えばプッシュロック式の施錠装置４３が取付けられている。
また、両引違い戸９、１０における左端部と右端部との上下方向の中央部には、開閉用の手掛け４４、４４が取付けられている。
【００３７】
以上説明したように、上記実施形態の物品収納什器においては、引違い戸支持杆２５の左右方向の中央部に、アジャスタボルト３１付きの操作つまみ３２と、ナット３３とからなるレベル調整手段３０を設けてあるので、両引違い戸９、１０の重量や、ベース棚板５に載置した物品の重さにより、万一、ベース棚板５や、その上面に設けた引違い戸支持杆２５及びガイドレール２７の中央部が下方に撓んだ際でも、ガイドレール２７のレベルを調整することができる。
すなわち、このような撓みが生じた際において、操作つまみ３２を回転させてこれを下方に移動させ、ベース棚板５の上面を押圧すれば、その反力により、引違い戸支持杆２５とガイドレール２７の中央部が押し上げられ、ガイドレール２７の撓みが矯正される。
【００３８】
従って、引違い戸９、１０の開閉を円滑に行いうるとともに、両引違い戸９、１０の外側端と、サイドフレーム１２における前部フレーム１２bの内側面の戸当り部との間に隙間が形成されることがなく、体裁が向上する。
【００３９】
本発明は、上記実施形態に限定されるものではない。
上記実施形態では、引違い戸支持杆２５の上面に、別体のガイドレール２７を固着しているが、それらを、例えば押し出し成形等により一体的に形成してもよく、また、引違い戸支持杆２５の上面に凹状のガイド溝を設けて、それ自体をガイドレールとしてもよい。
【００４０】
上記実施形態では、アジャスタボルト３１を、引違い戸支持杆２５の下面に溶接したナット３３に螺合させているが、引違い戸支持杆２５におけるアジャスタボルト３１との対向部を厚肉として、めねじを設け、このめねじにアジャスタボルト３１の上端部を螺合させてもよい。
【００４１】
図示は省略するが、操作つまみ３２とベース棚板５との摩擦抵抗を小さくし、操作つまみ３２を容易に回動操作しうるように、操作つまみ３２を摩擦係数の小さな合成樹脂等により形成するか、もしくは、操作つまみ３２とベース棚板５との対向面の少なくともいずれか一方に、摩擦係数の小さな合成樹脂等のパッドを固定してもよい。
【００４２】
上記実施形態とは反対に、ベース棚板５の上面に、上記と同様の構成部材よりなるレベル調整手段３０を、上下反転させて設けることもある。
【００４３】
本発明は、ショーケースやキャビネット等、通常の上下方向を向く引違い戸を有する物品収納什器にも適用しうることは勿論である。
【図面の簡単な説明】
【００４４】
【図１】本発明の物品収納什器の斜視図である。
【図２】同じく、拡大平面図である。
【図３】図２のIII-III線縦断側面図である。
【図４】支柱への側面板と上部のガイドレールの取付形態を示す分解斜視図である。
【図５】図３のＡ部の拡大図である。
【図６】レベル調整手段取付部の前方斜視図である。
【図７】図６のVII-VII線拡大縦断側面図である。
【図８】図２のVIII-VIII線拡大縦断側面図である。
【図９】同じくIX-IX線拡大縦断側面図である。
【図１０】同じくX-X線拡大縦断側面図である。
【図１１】同じくXI-XI線拡大縦断側面図である。
【図１２】図１のXII-XII線拡大縦断側面図である
【符号の説明】
【００４５】
１    支柱
２    横杆
３    背板
４    基台
４a   側板
４b   前板
５    ベース棚板
６    係止孔
７    ブラケット
８    棚板
９    左側の引違い戸
９a   上面板
９b   前面板
１０  右側の引違い戸
１０a 上面板
１０b 前面板
１１  側面板
１２  サイドフレーム
１２a 上部フレーム
１２b 前部フレーム
１３  係止爪
１４  取付金具
１５  止めねじ
１６  めねじ孔
１７  固定片
１８  ねじ
１９  ガイド溝
２０  ガイドレール
２１  取付金具
２２  係止爪
２３  レールカバー
２４  ねじ
２５  引違い戸支持杆
２５a 下向片
２６  ガイド溝
２７  ガイドレール
２８  サッシュ部材
２９  車輪
３０  レベル調整手段
３１  アジャスタボルト
３２  操作つまみ
３３  ナット
３４  切欠き
３５  ローラ支持ブラケット
３５a コ状部
３５b 垂下片
３６  垂直軸
３７  水平ガイドローラ
３８  水平軸
３９  水平ガイドローラ
４０  ガイドレール
４１  ガイド溝
４２  スライド部材
４２a 係合片
４３  施錠装置
４４  手掛け
【図１】
2009191562.tif 000003
【図２】
2009191562.tif 000004
【図３】
2009191562.tif 000005
【図４】
2009191562.tif 000006
【図５】
2009191562.tif 000007
【図６】
2009191562.tif 000008
【図７】
2009191562.tif 000009
【図８】
2009191562.tif 000010
【図９】
2009191562.tif 000011
【図１０】
2009191562.tif 000012
【図１１】
2009191562.tif 000013
【図１２】
2009191562.tif 000014